(57)【要約】【課題】  空気調和機の吹出し口から離れた場所に人体に好作用を及ぼす物質を内蔵したカートリッジを配置することにより、カートリッジを交換しやすい場所に配置してメンテナンス性が向上し、カートリッジが落下する危険性がなく、外観意匠上すっきりした空気調和機を提供することを目的とする。【解決手段】  この発明に係る空気調和機は、本体内部に送風機を設け、室内空気を送風機により吸い込み、熱交換器で冷媒と熱交換して調和空気を生成し、この調和空気を吹出し口から吹出す空気調和機において、人体に好作用を及ぼす物質を内蔵したカートリッジと、カートリッジを収納して、本体内部の吹出し口より離れた場所に配置されたホルダーと、吹出し口面に設けられ、人体に好作用を及ぼす物質を放出する放出口と、ホルダーに設けられ、放出口とカートリッジとをつなぐダクトとを備えたことを特徴とする。【選択図】        図５
2006084128.tif 000002
【特許請求の範囲】
【請求項１】
本体内部に送風機を設け、室内空気を前記送風機により吸い込み、熱交換器で冷媒と熱交換して調和空気を生成し、この調和空気を吹出し口から吹出す空気調和機において、
人体に好作用を及ぼす物質を内蔵したカートリッジと、
前記カートリッジを収納して、前記本体内部の前記吹出し口より離れた場所に配置されたホルダーと、
前記吹出し口面に設けられ、前記人体に好作用を及ぼす物質を放出する放出口と、
前記ホルダーに設けられ、前記放出口と前記カートリッジとをつなぐダクトと、
を備えたことを特徴とする空気調和機。
【請求項２】
前記ダクト内部に、前記人体に好作用を及ぼす物質の漏れを防止する第２部材を設けたことを特徴とする請求項１記載の空気調和機。
【請求項３】
前記ダクトを前記ホルダーに一体に設けたことを特徴とする請求項１記載の空気調和機。
【請求項４】
前記ホルダーに、前記人体に好作用を及ぼす物質の前記カートリッジからの放出を促進する加熱手段を設けたことを特徴とする請求項１記載の空気調和機。
【請求項５】
前記第２部材の先端にスリットを有し、前記放出口と密接させたことを特徴とする請求項１記載の空気調和機。
【請求項６】
前記カートリッジの側面に、前記人体に好作用を及ぼす物質を放出する物質放出穴と、この物質放出穴の周囲に前記ホルダー内面に密着する係合部とを設けたことを特徴とする請求項１記載の空気調和機。
【請求項７】
前記カートリッジを前記ホルダーに抜き差しするための取手を設けたことを特徴とする請求項１記載の空気調和機。
【請求項８】
人体に好作用を及ぼす物質を内蔵したカートリッジと、
このカートリッジを収納するホルダーと、
このホルダーに設けられ、前記カートリッジに接続されて前記人体に好作用を及ぼす物質を放出するためのダクトと、
を備えたことを特徴とするサプリメント放出器。
【発明の詳細な説明】
【技術分野】
【０００１】
この発明は、抗酸化物質等のサプリメントを放出するサプリメント放出器と、このサプリメント放出器を備えた空気調和機に関するものである。
【背景技術】
【０００２】
空気中には電子を帯びた超微粒子のイオンが存在している。イオンはプラスイオンやマイナスイオンとして空気中に存在し、これらのイオンは人体に種々な作用を及ぼすといわれている。プラスイオンの場合は、細胞にダメージを与える活性酸素剤になる他、血液中の水素イオン濃度を高めて血液を酸性化する等により新陳代謝に悪影響を及ぼし、マイナスイオンの場合は、鎮痛、催眠、制汗、食欲増進、血圧調整、疲労防止、疲労回復、爽快感等の好影響を及ぼすとされている。
【０００３】
マイナスイオンの微粒子の量は空気中に４００〜１０００個／ｃｍ３存在することが理想的であるとされ、例えば電極間に高電圧を印加してマイナスイオンを効率的に発生させる装置が開発されている。このマイナスイオン発生装置は、コンピュータ、冷暖房機、テレビその他の電子機器等によりプラスイオンが多量に発生する空間、あるいは多量の塵埃等が空中に浮遊する空間、例えばオフィス、病院、一般家庭の居住空間等に積極的に備えられるようになってきている。
【０００４】
例えば、冷暖房等に用いられるエアコンのエア噴出口近傍に、高電圧を印加してマイナスイオンを発生させるイオン発生装置を設けて、イオン発生装置から発生するマイナスイオンをエアコンの噴流に合流させて、急速に空間内に放出させることにより、マイナスイオンを空間内に効率的に充満させるイオン発生装置がある（例えば、特許文献１参照）。
【特許文献１】実用新案登録第３０７２４４９号
【発明の開示】
【発明が解決しようとする課題】
【０００５】
従来のイオン発生装置は、その設置場所が冷暖房等に用いられるエアコンのエア噴出口近傍に限定されていた。
また、製品の外側に配置されているため、落下の可能性もあり、見た目が悪いという問題点もあった。
【０００６】
この発明は、上記のような問題点を解決するためになされたもので、空気調和機の吹出し口から離れた場所に人体に好作用を及ぼす物質を内蔵したカートリッジを配置することにより、カートリッジを交換しやすい場所に配置してメンテナンス性が向上し、カートリッジが落下する危険性がなく、外観意匠上すっきりした空気調和機及びサプリメント放出器を提供することを目的とする。
【課題を解決するための手段】
【０００７】
この発明に係る空気調和機は、本体内部に送風機を設け、室内空気を送風機により吸い込み、熱交換器で冷媒と熱交換して調和空気を生成し、この調和空気を吹出し口から吹出す空気調和機において、人体に好作用を及ぼす物質を内蔵したカートリッジと、カートリッジを収納して、本体内部の吹出し口より離れた場所に配置されたホルダーと、吹出し口面に設けられ、人体に好作用を及ぼす物質を放出する放出口と、ホルダーに設けられ、放出口とカートリッジとをつなぐダクトとを備えたことを特徴とする。
【発明の効果】
【０００８】
この発明に係る空気調和機は、上記構成により、吹出し口から離れた場所に人体に好作用を及ぼす物質を内蔵したカートリッジを配置することが出来るという効果を有する。
また、カートリッジは、空気調和機内部に構成したので落下してくるのを防ぐことができるという効果を有する。
【発明を実施するための最良の形態】
【０００９】
実施の形態１．
図１〜１５は実施の形態１を示す図で、図１は空気調和機の室内機の斜視図、図２は空気調和機の室内機の正面図、図３は空気調和機の室内機の斜視図、図４は空気調和機の室内機の縦断面図、図５は空気調和機の室内機の要部拡大図、図６はホルダーの裏面斜視図、図７はダクトを開いた状態のホルダーの裏面斜視図、図８はゴム材で成形したダクトの斜視図、図９は図７のホルダーにゴム材で成形したダクトを取り付けた状態のホルダーの裏面斜視図、図１０は図６のＡーＡ線断面図、図１１はホルダーを室内機に取り付けた状態の断面図、図１２はヒータを貼り付けたホルダーの斜視図、図１３はカートリッジの斜視図、図１４はホルダーにカートリッジが収納される初期の状態を示す側面図、図１５はホルダーにカートリッジが収納される途中の状態を示す側面図である。
【００１０】
図１乃至４に示す空気調和機の室内機は、空気調和機の一例の壁掛け形空気調和機の室内機であり、送風機１７を駆動することにより前面意匠部１の吸込み口１５から室内の空気を吸い込み、熱交換器１６にて冷媒回路を流れる冷媒と熱交換した後、吹出し口２より調和空気を室内へ送る構造になっている。図３には後述するサプリメント放出器のサプリメント（抗酸化物質等の人体に好作用を及ぼす物質）の放出口４が吹出し口２の側面に見える。
【００１１】
図５は図１の吹出し口２の外観意匠面の一部８付近の内部構造を示す図であり、室内機本体に設けられたノズル３の吹出し口２の側面に、吹出し口２に臨むようにサプリメント（抗酸化物質等の人体に好作用を及ぼす物質）の放出口４が配置されている。
【００１２】
また、サプリメントの放出口４から離れた場所に、サプリメントが詰まったカートリッジ５を収納するホルダー６が配置され、サプリメントの放出口４とホルダー６をホルダー６に一体に形成されたダクト７により接続するような構造になっている。但し、ダクト７はホルダー６に一体に形成されていなくてもよい。カートリッジ５、ホルダー６、ダクト７の材質はいずれもＰＰ（ポリプロピレン）樹脂である。
【００１３】
この明細書では、サプリメントが詰まったカートリッジ５を収納し、カートリッジ５からサプリメントを放出するダクト７が設けられたホルダー６を、サプリメント放出器と呼ぶ。サプリメント放出器の外形は、およそ７０×１００×５０（単位はｍｍ）の大きさである。
【００１４】
空気調和機の室内機は、図１に示す外観意匠面の一部８が開閉可能になっていて、この外観意匠面の一部８を開閉することにより、サプリメント放出器のカートリッジ５が見えてきて交換可能な構造になっている。カートリッジ５はホルダー６に出し入れ自在に収納されている。
【００１５】
次に動作について説明する。
このように構成されたサプリメント放出器においては、サプリメントの放出口４までダクト７を延ばすことにより、サプリメント放出器をサプリメントの放出口４から離れた場所に配置することが出来る。
【００１６】
以上のように、ダクト７を延ばすことにより、サプリメント放出器を自由に配置することが出来るので、サプリメントが詰まったカートリッジ５の交換作業が行いやすい場所に配置することが可能となりメンテナンス性が向上し、従来の室内機の外側に配置されているもののようにサプリメント放出器が落下してくる危険性がなく、意匠的にも見栄えが向上する。
【００１７】
図６に示すように、ホルダー６とホルダー６に一体に形成されたダクト７の間に、ゴム材で成形したダクト９（第２部材の一例）が配置されており、その先端にはスリット形状１０が構成されている。ゴム材で成形したダクト９の形状については、図８参照。また、ゴム材で成形したダクト９の材質は、例えば、ＳＥＢＳ（エラストマー）＋ＰＰ（ポリプロピレン）である。
【００１８】
図７はゴム材で成形したダクト９がなく、ダクト７が開いた状態を示している。このように、ダクト７はホルダー６に一体に、開閉可能に形成されている。その目的とするところは、ホルダー６の製造コストの低減であり、ゴム材で成形したダクト９を挟み込むためである。但し、ダクト７を別部品としてもよい。
【００１９】
図９は図７のホルダー６にゴム材で成形したダクト９を取り付けた状態を示している。この状態からダクト７を閉じて爪等により固定してゴム材で成形したダクト９を挟み込む。図１０のように、ゴム材で成形したダクト９がダクト７とホルダー６とで挟み込まれる。
【００２０】
図１１に示すように、ゴム材で成形したダクト９のスリット形状１０と、室内機本体の放出口４から突出したリブ１１とをあてる構造となっている。
【００２１】
以上のように、ゴム材で成形したダクト９をホルダー６とホルダー６に一体に形成されたダクト７の間に挟み込んでいるので、サプリメントがダクト７の途中で漏れることを防ぐことが出来る。また、先端のスリット形状１０と放出口４から突出したリブ１１とを突き当てているので、放出口付近でもサプリメントが漏れることを防ぐことが出来る。
【００２２】
図１２に示すように、ホルダー６には、加熱手段としてヒータ１８（ヒータのリード線１９付き）が貼り付けられている。これは、サプリメントが詰まったカートリッジ５をヒータ１８で加熱して圧力を上げ、カートリッジ５からサプリメントを放出しやすくするためである。
【００２３】
図１３に示すように、カートリッジ５の側面に物質放出穴１２を配置し、物質放出穴１２の周りにフランジ１３（係合部の一例）を構成し、ホルダー内面と密着させる構造となっている。また、カートリッジ５の取っ手部には、凹部１４が構成されている。
【００２４】
以上のように、カートリッジ５の側面に物質放出穴１２を設けることにより、物質放出穴１２からしか放出されなくなる。その周りにホルダー内面と密着させるフランジ１３が配置されているので、物質は、カートリッジ５とホルダー６の接続部から漏れることを防ぐことが出来る。また、カートリッジ５を交換する際、カートリッジ５の取っ手に凹部１４を設けてあるので、作業性を向上させることが出来る（図１４、１５参照）。
【図面の簡単な説明】
【００２５】
【図１】実施の形態１を示す図で、空気調和機の室内機の斜視図である。
【図２】実施の形態１を示す図で、空気調和機の室内機の正面図である。
【図３】実施の形態１を示す図で、空気調和機の室内機の斜視図である。
【図４】実施の形態１を示す図で、空気調和機の室内機の縦断面図である。
【図５】実施の形態１を示す図で、空気調和機の室内機の要部拡大図である。
【図６】実施の形態１を示す図で、ホルダーの裏面斜視図である。
【図７】実施の形態１を示す図で、ダクトを開いた状態のホルダーの裏面斜視図である。
【図８】実施の形態１を示す図で、ゴム材で成形したダクトの斜視図である。
【図９】実施の形態１を示す図で、図７のホルダーにゴム材で成形したダクトを取り付けた状態のホルダーの裏面斜視図である。
【図１０】実施の形態１を示す図で、図６のＡーＡ線断面図である。
【図１１】実施の形態１を示す図で、ホルダーを室内機に取り付けた状態の断面図である。
【図１２】実施の形態１を示す図で、ヒータを貼り付けたホルダーの斜視図である。
【図１３】実施の形態１を示す図で、カートリッジの斜視図である。
【図１４】実施の形態１を示す図で、ホルダーにカートリッジが収納される初期の状態を示す側面図である。
【図１５】実施の形態１を示す図で、ホルダーにカートリッジが収納される途中の状態を示す側面図である。
【符号の説明】
【００２６】
１  前面意匠部、２  吹出し口、３  ノズル、４  放出口、５  カートリッジ、６  ホルダー、７  ダクト、８  外観意匠面の一部、９  ゴム材で成形したダクト、１０  スリット形状、１１  リブ、１２  物質放出穴、１３  フランジ、１４  凹部、１５  吸込み口、１６  熱交換器、１７  送風機、１８  ヒータ、１９  ヒータのリード線。
【図１】
2006084128.tif 000003
【図２】
2006084128.tif 000004
【図３】
2006084128.tif 000005
【図４】
2006084128.tif 000006
【図５】
2006084128.tif 000007
【図６】
2006084128.tif 000008
【図７】
2006084128.tif 000009
【図８】
2006084128.tif 000010
【図９】
2006084128.tif 000011
【図１０】
2006084128.tif 000012
【図１１】
2006084128.tif 000013
【図１２】
2006084128.tif 000014
【図１３】
2006084128.tif 000015
【図１４】
2006084128.tif 000016
【図１５】
2006084128.tif 000017